(57)【要約】【課題】シート材等を挟持すると同時に別の棒状体等を挟持できるクリップを提供する。【解決手段】内部クリップ２の開口部２１と外部クリップ１、１の開口部２３が同一方向になるよう内部クリップ２を一対の外部クリップ１、１で挟持し、前記一対の外部クリップ１、１をスプリング３で係止固定したものである。【選択図】  図６
2004183876.tif 000002
【特許請求の範囲】
【請求項１】
棒状体もしくは線体を挟持することができる内部クリップと所定厚さの挟持体を挟持することができる外部クリップとから成り、前記内部クリップの開口部と前記外部クリップの開口部が同一方向になるよう内部クリップを一対の外部クリップで挟持し、前記一対の外部クリップをスプリングで係止固定したことを特徴とするクリップ。
【請求項２】
前記内部クリップは、外部クリップの操作の影響を受けない構造になっており、かつ内部クリップのクリップ部が弾性を有している請求項１に記載のクリップ。
【請求項３】
前記内部クリップの支軸が前記外部クリップの支軸を兼用できるように形成した請求項１又は２項に記載のクリップ。
【請求項４】
前記内部クリップには上下方向に突起部が形成され、前記一対の外部クリップに形成された長孔に対して、前記突起部を係合させるようにした請求項１ないし３項に記載のクリップ。
【請求項５】
前記外部クリップの開口部奥の少なくとも左右いずれかに、前記内部クリップの開口部とほぼ同じ高さの案内壁を形成した請求項１ないし４項に記載のクリップ。
【請求項６】
前記案内壁が内部クリップのクリップ部の左右に配置されている請求項５に記載のクリップ。
【発明の詳細な説明】
【０００１】
【発明の属する技術分野】
本発明は、クリップに関し、特に、内部クリップと外部クリップを独立させて使用することもできるクリップに関する。
【０００２】
【従来の技術】
クリップの他にフック部材を使用してシート材を挟持すると同時に、別の物品を引っ掛けて保持することのできるクリップは、既に登録されている（例えば、特許文献１参照）。
【０００３】
【特許文献１】
登録実用新案第３０２８０４０号公報  図１
【０００４】
【発明が解決しようとする課題】
しかしながら、このようなクリップにあっては、フック部材によって物品を引っ掛けて保持するため、例えば挟持体が長尺の棒状体や線体の場合は、フック部材で棒状体を引っ掛けて保持することは安定性が悪く、確実に保持することは不可能であった。
また、フック部材を使用するためにフック部材が破損したり、クリップから脱落する恐れもあった。
【０００５】
本発明は、このような問題点に着目してなされたもので、例えばシート材を挟持すると同時に別の例えば長尺の棒状体や線体を確実に挟持することができるクリップを提供することを目的とする。
【０００６】
【課題を解決するための手段】
上記課題を達成するために、本発明のクリップは、棒状体もしくは線体を挟持することができる内部クリップと所定厚さの挟持体を挟持することができる外部クリップとから成り、前記内部クリップの開口部と前記外部クリップの開口部が同一方向になるよう内部クリップを一対の外部クリップで挟持し、前記一対の外部クリップをスプリングで係止固定したことを特徴としている。
この特徴によれば、内部クリップの開口部と外部クリップの開口部が同一方向になるよう内部クリップを一対の外部クリップで挟持しているので、外部クリップはシート材等を確実に挟持することができると同時に内部クリップは独立して棒状体等を確実に挟持することができる。
【０００７】
上記クリップにおいて、前記内部クリップは、外部クリップの操作の影響を受けない構造になっており、かつ内部クリップのクリップ部が弾性を有していることが好ましい。
このようにすれば、クリップ部が弾性を有しているので、棒状体や線体を確実に保持できる。
【０００８】
上記クリップにおいて、前記内部クリップの支軸が前記外部クリップの支軸を兼用できるように形成することが好ましい。
このようにすれば、内部クリップ及び外部クリップの支軸が兼用できるので、部品点数を削減できコストダウンが期待できる。
【０００９】
上記クリップにおいて、前記内部クリップには上下方向に突起部が形成され、前記一対の外部クリップに形成された長孔に対して、前記突起部を係合させるようにすることが好ましい。
このようにすれば、内部クリップの突起部が外部クリップの長孔に係合され、外部クリップの開閉に応じて突起部が長孔内をスライドするために、内部クリップは外部クリップの操作時の影響を受けない。したがって、内部クリップ及び外部クリップは互いに独立してクリップとして使用できる。また、内部クリップの回動や抜け防止にもなる。
【００１０】
上記クリップにおいて、前記外部クリップの開口部奥の少なくとも左右いずれかに、前記内部クリップの開口部とほぼ同じ高さの案内壁を形成することが好ましい。
このようにすれば、横方向に挿入される棒状体は案内壁に設けられたテーパー部によってスムーズに内部クリップ内に案内される。
【００１１】
上記クリップにおいて、前記案内壁が内部クリップのクリップ部の左右に配置されていることが好ましい。
このようにすれば、左右の案内壁によって内部クリップの横ずれ防止ばかりでなく、保持安定度も向上する。
【００１２】
【発明の実施の形態】
以下、本発明の実施例を図面に基づいて説明する。
【００１３】
図１は、本発明のクリップのそれぞれの部材を分解した状態を示す分解斜視図、図２は、外部クリップ上に内部クリップを組立てた状態を示す分解斜視図、図３は、スプリングを挿入前の組立て斜視図、図４は、本発明クリップの斜視図、図５は、図４の断面図、図６は、図５の挟持部を押し広げた状態を示す断面図、図７は、使用状態を示す本発明の斜視図である。
【００１４】
本発明のクリップは、一対の外部クリップ１、１、内部クリップ２及び略Ｕ字状のスプリング３より構成されており、この一対の外部クリップ１、１の前方には、例えばシート状の挟持体Ｋを挟持するための挟持部４、４が形成されている。前記挟持部４、４の内面には挟持体Ｋを確実に保持するための突起５、５が形成されている。
【００１５】
プラスチック等の材料で成型された外部クリップ１、１の略中央部には、金属製、プラスチック製等の材料からなるスプリング３を保持するための凹部６、６が設けられ、この凹部６、６の前方には、略Ｕ字状の平板状のスプリング３の先端係止部９、９を係止するための係止溝７、７が、後方には、内部クリップ２の回動を防止及び抜け止め防止用の長孔８、８及びスプリング３が挿入可能な挿入孔１０、１０がそれぞれ形成されている。また、凹部６、６には挿入孔１０、１０から係止溝７、７に向ってスプリングの先端係止部９、９がスムーズに挿入できるようテーパー部２２が形成されている。
【００１６】
一方、外部クリップ１、１の略中央部内面には、内部クリップ２のずれ止め及び保持安定用の受部１１、１１が形成されている。
【００１７】
この一対の受部１１、１１は、内部クリップ２のクリップ部１２、１２の外形にあわせた形状に形成され、前記受部１１、１１の後部には、内部クリップ２の支軸１３を保持するための支軸受部１４、１４が形成され、受部１１、１１の前部には内部クリップ２の横ずれ防止用の、内部クリップ２の開口部２１とほぼ同じ高さの一対の案内壁１５、１５が形成されている。この案内壁１５、１５には、棒状体１６を横方向から内部クリップ２に挿入する場合にスムーズに入りやすいようにアール形状のテーパー部１７、１７が形成されている。前記案内壁１５、１５は内部クリップ２のクリップ部１２、１２の左右に配置されている。
【００１８】
前記プラスチック製の内部クリップ２には外部クリップ１、１及び内部クリップ２の軸を兼用する支軸１３が横方向に一体に突設されており、この支軸１３の前部には長尺の棒状体１６を、上下方向から挟持するための一対のクリップ部１２、１２が一体に形成されている。
また、支軸１３には略中央部に上下方向に突設された内部クリップ２の回動及び抜け止め防止用の突起部１８が一体に形成されている。この突起部１８が外部クリップ１、１の長孔８、８に係合されることによって外部クリップ１、１の操作時に内部クリップ２が回動したり、抜け落ちたりするのを防止する。また、前記支軸１３の長さは図２に示すように両支軸受部１４、１４で保持できる長さであるが、図１に示すように両支軸受部１４、１４の両端で軸支できる長さに変更することも可能である。
【００１９】
前記一対の外部クリップ１、１の後方には、つまみ部１９、１９が形成され、このつまみ部１９、１９には、スベリ止め部２０、２０が形成されている。
【００２０】
前記スプリング３は弾力性のある金属板をプレス加工等により図１の矢印方向に付勢力を与えるべく弾性を有するように略Ｕ字状に形成されている。また、スプリング３には両先端部に内部クリップ２の係止溝７、７に係合するための先端係止部９、９が形成されている。なお、略Ｕ字状のスプリング３は矢印方向に弾性を有するようにプラスチック材料により一体成型することも可能である。
【００２１】
いずれにしても本発明のクリップは少ない部材で容易に組立て、分解が可能であるため現場での組立てに適している。
【００２２】
次に本発明のクリップの組立て方法について図１〜図４に基づいて説明すると、内部クリップ２の開口部２１と外部クリップ１、１の開口部２３（図６参照）を同一方向になるよう配置し、内部クリップ２を一対の外部クリップ１、１で一体に挟持することにより、内部クリップ２の支軸１３が外部クリップ１、１のそれぞれの支軸受部１４で形成される軸受内に軸支され、一方内部クリップ２の突起部１８、１８は外部クリップ１、１にそれぞれ形成された長孔８、８にそれぞれ係合され、図３のスプリング３を除いた状態のクリップが組立てられる。
【００２３】
このスプリングなしのクリップに対し、図３に示すようにスプリング３を矢印方向に移動させると、スプリング３の先端係止部９、９が外部クリップ１、１の凹部６、６に設けられた挿入孔１０、１０に挿入され、次ぎに凹部６、６のテーパー部２２上を通り、テーパー部２２でＵ字状のスプリング３の弾力に抗してスプリング３を広げながら前進し、凹部６、６の係止溝７、７の位置でスプリング３の先端係止部９、９が弾力により係止溝７、７に確実に係止される。
【００２４】
このことにより、図４に示す本発明のクリップが組立てられる。組立てられたクリップは常時内部クリップ２及び外部クリップ１、１共に挟持可能な状態を維持することになる。
【００２５】
本発明のクリップの使用方法について説明すると、図５、６に示すようにまず使用者が外部クリップ１、１の両つまみ部１９、１９をスプリング３の弾力に抗して押圧すると外部クリップ１、１の挟持部４、４は支軸１３を中心としてシーソー運動により互いの間隔が広がり、挟持体Ｋを挟持できる状態になる。
【００２６】
一方内部クリップ２は図５の状態から図６に示すように突起部１８が長孔８、８内を前方に移動しており、外部クリップ１、１の開閉動作が内部クリップ２の動作に影響を与えることがなく、常時棒状体１６を挟持できる状態に待機している。
【００２７】
次に棒状体１６が図６に示すように矢印方向に移動すると、まず外部クリップ１、１の案内壁１５、１５に接触するが案内壁１５、１５に設けられたテーパー部１７、１７により円滑にガイドされ、内部クリップ２のクリップ部１２、１２の弾力により確実に挟持される。
【００２８】
挟持体Ｋを挟持する場合は前記方法により挟持部４、４をスプリング３の弾力に抗して押し広げた後挟持体Ｋを挿入して両つまみ部１９、１９の押圧を解除すると挟持体Ｋは挟持されるとともに、挟持部４、４の突起５により、より確実に挟持できる。
【００２９】
前記したように、外部クリップと内部クリップさらにはスプリング３が、それぞれ別体であり、外部クリップと内部クリップは連動せず、互いに独立して操作できるので、例えば挟持体Ｋの挟持を解除するために挟持部４、４を押し広げても内部クリップ２に挟持された棒状体１６は挟持が解除されず、挟持体の落下等を確実に防止できることになる。
【００３０】
以上、本発明の実施例を図面により説明してきたが、具体的な構成はこれら実施例に限られるものではなく、本発明の要旨を逸脱しない範囲における変更や追加があっても本発明に含まれる。
【００３１】
【発明の効果】
本発明は、以下の効果を奏する。
【００３２】
（ａ）請求項１の発明によれば、内部クリップの開口部と外部クリップの開口部が同一方向になるよう内部クリップを一対の外部クリップで挟持しているので、外部クリップはシート材等を確実に挟持することができると同時に内部クリップは独立して棒状体等を確実に挟持することができる。
【００３３】
（ｂ）請求項２の発明によれば、クリップ部が弾性を有しているので棒状体や線体を確実に保持できる。
【００３４】
（ｃ）請求項３の発明によれば、内部クリップ及び外部クリップの支軸が兼用できるので、部品点数を削減できコストダウンが期待できる。
【００３５】
（ｄ）請求項４の発明によれば、内部クリップの突起部が外部クリップの長孔に係合され、外部クリップの開閉に応じて突起部が長孔内をスライドするために、内部クリップは外部クリップの操作時の影響を受けない。したがって、内部クリップ及び外部クリップは互いに独立してクリップとして使用できる。また、内部クリップの回動や抜け防止にもなる。
【００３６】
（ｅ）請求項５の発明によれば、横方向に挿入される棒状体は案内壁に設けられたテーパー部によってスムーズに内部クリップ内に案内される。
【００３７】
（ｆ）請求項６の発明によれば、左右の案内壁によって内部クリップの横ずれ防止ばかりでなく、保持安定度も向上する。
【図面の簡単な説明】
【図１】本発明のクリップのそれぞれの部材を分解した状態を示す分解斜視図である。
【図２】外部クリップ上に内部クリップを組立てた状態を示す分解斜視図である。
【図３】スプリングを挿入前の組立て斜視図である。
【図４】本発明のクリップの斜視図である。
【図５】図４の断面図である。
【図６】図５の挟持部を押し広げた状態を示す断面図である。
【図７】使用状態を示す本発明の斜視図である。
【符号の説明】
１                外部クリップ
２                内部クリップ
３                スプリング
４                挟持部
５                突起
６                凹部
７                係止溝
８                長孔
９                先端係止部
１０              挿入孔
１１              受部
１２              クリップ部
１３              支軸
１４              支軸受部
１５              案内壁
１６              棒状体
１７              テーパー部
１８              突起部
１９              つまみ部
２０              スベリ止め部
２１              開口部
２２              テーパー部
２３              開口部
Ｋ                挟持体
【図１】
2004183876.tif 000003
【図２】
2004183876.tif 000004
【図３】
2004183876.tif 000005
【図４】
2004183876.tif 000006
【図５】
2004183876.tif 000007
【図６】
2004183876.tif 000008
【図７】
2004183876.tif 000009